(57)【要約】      （修正有）【課題】資源の枯渇で入手困難となりつつある、４ｍ以上の長尺銘木の杢目を将来共化粧柄として使用することができる化粧板を提供する。【解決手段】銘木化粧板を高性能大型スキャナーを用いて、スキャンしたデータを使用して、基材１上にインクジェットプリンターにより印刷した紙よりなる化粧柄層２、又は基材１上にインクジェットプリンターにより印刷した化粧柄層上に、その化粧柄を視認することができる樹脂塗料を塗布してなる保護塗膜層３とを積層した化粧層を備えたことを特徴とする。【選択図】図３
0003152145.tif 000002
【実用新案登録請求の範囲】
【請求項１】
高性能大型スキャナーを用いて、化粧柄をスキャンしたデータを使用して、基板上にインクジェットプリンターによりインク用樹脂を印刷した紙よりなる化粧柄層と、その化粧柄層上にその化粧柄を視認することができる樹脂塗料を塗布してなる保護塗膜層とを積層した化粧層を備えたことを特徴とする化粧板。
【請求項２】
高性能大型スキャナーを用いて、化粧柄をスキャンしたデータを使用して、基板上にインクジェットプリンターによりインク用樹脂を印刷した化粧柄層と、その化粧柄層上にその化粧柄を視認することができる樹脂塗料を塗布してなる保護塗膜層とを積層した化粧層を備えたことを特徴とする化粧板。
【考案の詳細な説明】
【技術分野】
【０００１】本考案は建材や家具化粧材などとして使用される化粧板に関するものである。
【背景技術】
【０００２】基板上に、グラビア印刷にて印刷した化粧紙を貼り付けてなる化粧板が知られている。
【先行技術文献】
【特許文献】
【０００３】
【特許文献１】特開  平５−４３２０号  公報
【特許文献２】特開  平５−１９３２４３号  公報
【非特許文献】
【０００４】
【非特許文献１】株式会社トッパン・コスモ  １０１エコシート２００８カタログ
【考案の概要】
【考案が解決しようとする課題】
【０００５】近年、自然保護思想の高まりや、生物多様性の観点から、天然林からの銘木材の入手が困難になりつつあり、今後ますますこの傾向が強まるものと予想される。
現在の状態では、近い将来、銘木の化粧板、特に４ｍ以上の長尺材が入手できなくなる可能性が高いと考えられる。
従来のグラビア印刷による化粧紙を使用する方法では、化粧柄の長さは印刷機のドラムの円周の長さにてリピートとなる為、４ｍ以上の長尺化粧柄をそのまま印刷することは不可能であった。本考案は将来に渡り、このような銘木の化粧板の杢目を化粧材として、使用することを可能にするものである。
【課題を解決するための手段】
【０００６】後記図面１〜６により、本考案の化粧板を説明する。
基板１上に、高性能大型スキャナーを用いてスキャンしたデータを使用して、請求項１ではインクジェットプリンターによりインク用樹脂を印刷した紙からなる化粧柄層２、請求項２ではインクジェットプリンターによりインク用樹脂を印刷した化粧柄層４上に、その化粧柄を視認することができる樹脂塗料を塗布してなる保護塗膜層３とを積層した化粧層を備えている。【０００７】基材１上に請求項１の考案では、高性能大型スキャナーを用いることにより、４ｍ以上の長尺化粧柄をスキャンすることができ、このデータを用いて、大型インクジェットプリンターを使用しロール紙を用いることにより４ｍ以上の長尺化粧柄を印刷した紙よりなる化粧柄層２上にその化粧柄を視認することができる樹脂塗料を塗布してなる保護塗膜層３とを積層した化粧層を備えている化粧板により、４ｍ以上の長尺の化粧柄の化粧板を製作することができる。【０００８】基材１上に請求項２の考案では、高性能大型スキャナーを用いることにより、４ｍ以上の長尺化粧柄をスキャンすることができ、このデータを使用して、大型インクジェットプリンターにより４ｍ以上の長尺基材に印刷した化粧柄層４上にその化粧柄を視認することができる樹脂塗料を塗布してなる保護塗膜層３とを積層した化粧層を備えている化粧板により、４ｍ以上の長尺の化粧柄の化粧板を製作することができる。請求項２の考案では請求項１に使用する、印刷された紙を用いずに、直接基材に印刷することにより化粧板のコストダウンが期待できる。
【考案の効果】
【０００９】本考案は、今後入手困難な４ｍ以上の長尺の銘木杢目の化粧柄を高性能大型スキャナーにてスキャンしたデータを保存することにより、また保存されたデータを使用してインクジェットプリンターにて出力することにより、将来に渡り４ｍ以上の長尺の銘木杢目の化粧柄を化粧板として使用することを可能にするものである。【００１０】本考案の化粧柄は主として天然林から供給される長尺の銘木の杢目を使用するが、新たに天然林を伐採して、化粧材を供給しなくても、現存する銘木の杢目を将来に渡り化粧柄として化粧板に使用することができるので、自然保護の観点からみて、天然原生林の違法伐採を防ぎ、生物多様性を守り、貴重な天然林を守ることができ、しいては地球温暖化防止の効果も期待できる。
【図面の簡単な説明】
【００１１】
【図１】（ａ）は第一実施形態において基材を示す平面図である。（ｂ）は（ａ）の部分拡大断面図を示す。
【図２】（ａ）は第一実施形態において基材上に接着した化粧柄を印刷した紙からなる化粧柄層を示す平面図である。（ｂ）は（ａ）の部分拡大断面図を示す。
【図３】（ａ）は第一実施形態において基材上に接着した化粧柄を印刷した紙からなる化粧柄層上に、樹脂塗料を塗布してなる塗膜層を示す平面図である。（ｂ）は（ａ）の部分拡大断面図を示す。
【図４】（ａ）は第二実施形態において基材を示す平面図である。（ｂ）は（ａ）の部分拡大断面図を示す。
【図５】（ａ）は第二実施形態において基材上に印刷した化粧柄層を示す平面図である。（ｂ）は（ａ）の部分拡大断面図を示す。
【図６】（ａ）は第二実施形態において基材上に印刷した化粧柄層上に樹脂塗料を塗布してなる塗膜層を示す平面図である。（ｂ）は（ａ）の部分拡大断面図を示す。
【考案を実施するための形態】
【００１２】第一実施形態では基材上に高性能大型スキャナーを用いてスキャンしたデータをインクジェットプリンターにて化粧柄を印刷した紙を接着した化粧柄層上に、その化粧柄を視認することができる樹脂塗料を塗布してなる保護塗膜層とを積層した化粧層を備えている化粧板。
【００１３】第二実施形態では基材上に高性能大型スキャナーを用いてスキャンしたデータを，インクジェットプリンターにて化粧柄を印刷した化粧柄層上に、その化粧柄を視認することができる樹脂塗料を塗布してなる保護塗膜層とを積層した化粧層を備えている化粧板。
【実施例】
【００１４】本考案において、大型高性能スキャナーにてスキャンする化粧柄は、主として銘木の杢目であるが、象嵌、蒔絵、金箔・銀箔貼りや絵画、書などもスキャンしてデータ化し、化粧柄とすることが可能である。【００１５】以下本考案の化粧板について、図１〜６を参照して説明する。
第一実施形態にて、大型インクジェットプリンターにより印刷した紙からなる化粧柄層２の紙および、インク樹脂は、互いに密着性が良く化粧柄がきれいに印刷できる既存のものから選択する。【００１６】本考案の第一実施形態にて、大型インクジェットプリンターを使用し印刷した紙からなる化粧柄層２の紙と基材１との接着剤は互いに密着性が良く、しわや膨れなどの問題のない既存のものから選択する。【００１７】本考案の第二実施形態にて、大型インクジェットプリンターを使用し、基材１上に印刷した化粧柄層４のインク樹脂は、互いに密着性が良く化粧柄がきれいに印刷できる既存のものから選択する。【００１８】本考案の第一実施形態での印刷した紙からなる化粧柄層２、第二実施形態での基材１上に印刷した化粧柄層４上に、保護層としてなる塗料の樹脂の種類は、互いに密着性が良くしかも化粧柄が視認することができる既存の樹脂塗料から選択する。【００１９】本考案の基材１は合板、ＭＤＦなどの木質材料のみではなく、火山性ガラス質複層板、ケイ酸カルシウム板などの不燃基材も使用できる。【００２０】上述の化粧板を家具の扉、或いは建具の表板として使用する。【００２１】上述の化粧板を建築の壁、天井の化粧板として使用する。
内装制限のかかる部位には、基材を不燃基材として使用する。
【産業上の利用可能性】
【００２２】さまざまな建材や、家具表面の化粧材として利用できる。
【符号の説明】
【００２３】１・・基板
２・・第一実施形態における化粧柄層
３・・保護塗膜層
４・・第二実施形態における化粧柄層
【図１】
0003152145.tif 000003
【図２】
0003152145.tif 000004
【図３】
0003152145.tif 000005
【図４】
0003152145.tif 000006
【図５】
0003152145.tif 000007
【図６】
0003152145.tif 000008